(57)【特許請求の範囲】
【請求項１】
ミラー本体をミラーボデーにより抱持した車両用サイドミラー構造において、前記ミラーボデーのミラー本体周囲で後方に張り出す庇部の外側面に、内側に反る窪み形状を有して後方に向かうにつれミラー本体側に窄まる括れ部を形成し、走行時に前記括れ部に負圧部を形成して雨滴を留め得るように構成すると共に、ミラーボデーを、ミラー本体周囲を囲んで前記庇部を成すミラーハウジングと、該ミラーハウジングの前方部分を覆うカバーとにより分割構成し、前記括れ部の前端に設定される最外形部より前方に前記ミラーハウジングと前記カバーとの分割位置を設定したことを特徴とする車両用サイドミラー構造。
【請求項２】
ミラーハウジングに対しカバーを嵌合して取り付け得るように構成したことを特徴とする請求項１に記載の車両用サイドミラー構造。
【発明の詳細な説明】
【技術分野】
【０００１】
本発明は、車両用サイドミラー構造に関するものである。
【背景技術】
【０００２】
図５及び図６に示す如く、従来より車両には後方確認用のサイドミラー１が装備されており、運転席や助手席から後方の様子を鏡面に映して確認できるようになっている。前記鏡面を有するミラー本体２は、車体３側から延びるミラーステー４に支持されたミラーボデー５により抱持されており、この種のサイドミラー１にあっては、風切り音対策や意匠的な美観を考慮して前記ミラーボデー５に流線形の断面形状が付されている。
【０００３】
尚、車両用サイドミラー構造に関連する先行技術文献情報としては下記の特許文献１等がある。
【先行技術文献】
【特許文献】
【０００４】
【特許文献１】特開２００９−６７２９３号公報
【発明の概要】
【発明が解決しようとする課題】
【０００５】
しかしながら、前述の如きサイドミラー１における従来構造にあっては、雨天走行時に走行方向に対向するミラーボデー５に雨滴６が付着し、この雨滴が走行風７によりミラーボデー５の側面を後方（図６中の下方）に流れ、ミラーボデー５の直後に生じる負圧部８によりミラー本体２側に巻き込まれて鏡面に付着し、該鏡面が雨滴６により見えづらくなって後方確認が難しくなる場合があった。
【０００６】
本発明は上述の実情に鑑みてなしたもので、雨天走行時におけるミラー本体の鏡面への雨滴の付着を大幅に抑制し得る車両用サイドミラー構造を提供することを目的とする。
【課題を解決するための手段】
【０００７】
本発明は、ミラー本体をミラーボデーにより抱持した車両用サイドミラー構造において、前記ミラーボデーのミラー本体周囲で後方に張り出す庇部の外側面に、内側に反る窪み形状を有して後方に向かうにつれミラー本体側に窄まる括れ部を形成し、走行時に前記括れ部に負圧部を形成して雨滴を留め得るように構成すると共に、ミラーボデーを、ミラー本体周囲を囲んで前記庇部を成すミラーハウジングと、該ミラーハウジングの前方部分を覆うカバーとにより分割構成し、前記括れ部の前端に設定される最外形部より前方に前記ミラーハウジングと前記カバーとの分割位置を設定したことを特徴とするものである。
【０００８】
而して、このようにすれば、雨天走行時にミラーボデーに付着した雨滴が走行風によりミラーボデーの側面を後方に流れても、庇部の括れ部で負圧部が形成されて雨滴が前記庇部の側面に留められ、ここで成長して大きくなったところで自重により流下、若しくは、走行風により吹き飛ばされる結果となり、雨滴がミラー本体側に巻き込まれて鏡面に付着する事態が未然に回避される。
【００１０】
また、車室内から見た時にミラーハウジングとカバーとの分割位置が最外形部より前方の目立たない位置となるため、見栄えを悪化させることなくミラーハウジングとカバーとによる分割構造を採用することが可能となる。しかも、ミラーハウジングとカバーとの分割位置の溝や段差は、雨滴を流下させるガイドとしても機能するので、括れ部まで到る雨滴を減らすことも可能となる。
【００１１】
更に、本発明においては、ミラーハウジングに対しカバーを嵌合して取り付け得るように構成することが好ましく、このようにすれば、ミラーハウジングとカバーとを組み付け易くなり、ミラーハウジングとカバーとの組み付け作業性の向上が図られる。
【発明の効果】
【００１２】
上記した本発明の車両用サイドミラー構造によれば、下記の如き種々の優れた効果を奏し得る。
【００１３】
（Ｉ）本発明の請求項１に記載の発明によれば、運手走行時に庇部の括れ部に負圧部を形成して雨滴を留め、ミラー本体の鏡面への雨滴の付着を大幅に抑制することができるので、鏡面が雨滴により見えづらくなって後方確認が難しくなるという事態を著しく改善することができ、乗員の後方視認性の大幅な向上を図ることができる。
【００１４】
（ＩＩ）本発明の請求項１に記載の発明によれば、見栄えを悪化させることなくミラーハウジングとカバーとによる分割構造を採用することができ、これにより庇部の外側面に括れ部を持つミラーボデーを無理のない金型で容易に製作することができ、しかも、ミラーハウジングとカバーとの分割位置の溝や段差を雨滴を流下させるガイドとして機能させることで括れ部まで到る雨滴を減らし、ミラー本体の鏡面への雨滴の付着をより一層抑制することもできる。
【００１５】
（ＩＩＩ）本発明の請求項２に記載の発明によれば、ミラーハウジングに対しカバーを嵌合して取り付け得るように構成したことにより、ミラーハウジングとカバーとの組み付けを容易化することができ、ミラーハウジングとカバーとの組み付け作業性の向上を図ることができる。
【図面の簡単な説明】
【００１６】
【図１】本発明を実施する形態の一例を示す斜視図である。
【図２】図１のＩＩ−ＩＩ矢視の断面図である。
【図３】括れ部の角度や寸法に関する具体的な条件を説明する模式図である。
【図４】図２の要部を拡大して示す詳細図である。
【図５】従来のサイドミラーの装備状態を説明する車両の正面図である。
【図６】図５のＶＩ−ＶＩ矢視の断面図である。
【発明を実施するための形態】
【００１７】
以下本発明の実施の形態を図面を参照しつつ説明する。
【００１８】
図１〜図４は本発明を実施する形態の一例を示すもので、図５及び図６と同一の符号を付した部分は同一物を表わしている。
【００１９】
図１に示す如く、ここに図示している車両用のサイドミラー９（図１中では右斜め上方が車両前方を、左斜め下方が車両後方を示している）においては、ミラー本体１０周囲を囲むミラーハウジング１１と、該ミラーハウジング１１の前方部分を覆うカバー１２とによりミラーボデー１３が分割構成されており、前記ミラーハウジング１１には、ミラー本体１０周囲で後方に張り出す庇部１４が形成され、該庇部１４の外側面には、内側に反る窪み形状を有して後方に向かうにつれミラー本体１０側に窄まる括れ部１５が形成されており、走行時に前記括れ部１５に負圧部８（図４参照）が形成されて雨滴が留められるように構成されている。尚、図１では、メインミラーを成すミラー本体１０の下段に、サブミラー１６を付帯装備させた場合を例示している。
【００２０】
ここで、図２に断面で示しているように、ミラーハウジング１１とカバー１２との分割位置は、括れ部１５の前端に設定される最外形部１７（最も外側へ張り出す稜線部）より前方に設定されており、車室内から見た時にミラーハウジング１１とカバー１２との分割位置が最外形部１７より前方の目立たない位置となるようにしてある。
【００２１】
更に、図３に図２中の右側の括れ部１５について模式的に示している通り、前記ミラーハウジング１１における庇部１４の外側面に形成された括れ部１５は、図３中の走行方向に沿う基準線Ａに対し、前記最外形部１７を成す前端から約１０゜以上の角度でミラー本体１０側に入り込み、その窪み形状が約０．５〜３ｍｍ程度の深さとなり、前記括れ部１５における前端の張り出し位置から後端の入り込み位置までのオフセット量が約２〜１０ｍｍ程度となるようにしてある。
【００２２】
また、前記ミラーハウジング１１における最外形部１７より前方の部分は、前記基準線Ａに対し約５〜４５゜の角度で内側に傾斜してカバー１２の流線形のカーブに連続するようになっており、ミラーハウジング１１とカバー１２との組み付けは、ミラーハウジング１１に対しカバー１２をインロー式に嵌合して取り付け得るようにしてある（図２参照）。
【００２３】
尚、前記ミラー本体１０は、先の先行技術文献（特開２００９−６７２９３号公報）にも周知技術として説明されている通り、ミラーボデー１３内のフレーム１８に対し図示しない球面座を介して鏡面角度を調整できるように支持されており、前記ミラーハウジング１１は、前記フレーム１８に対し、図２の断面とは異なる位置で組み付けられている。また、前記ミラーハウジング１１は、ガスインジェクション成形により前記庇部１４の内部に中空部１９を持った射出成形品として成形され、樹脂が厚肉となって表面品質を悪化させないようにしている。
【００２４】
而して、このようにすれば、図４に拡大して示す如く、雨天走行時にミラーボデー１３に付着した雨滴６が走行風７によりミラーボデー１３の側面を後方に流れても、庇部１４の括れ部１５で負圧部８が形成されて雨滴６が前記庇部１４の側面に留められ、ここで成長して大きくなったところで自重により流下、若しくは、走行風７により吹き飛ばされる結果となり、雨滴６がミラー本体１０側に巻き込まれて鏡面に付着する事態が未然に回避される。
【００２５】
また、本形態例においては、ミラーボデー１３を、ミラー本体１０周囲を保持するミラーハウジング１１と、該ミラーハウジング１１の前方部分を覆うカバー１２とにより構成し、括れ部１５の前端に設定される最外形部１７より前方に前記ミラーハウジング１１とカバー１２との分割位置を設定するようにしているので、車室内から見た時にミラーハウジング１１とカバー１２との分割位置が最外形部１７より前方の目立たない位置となり、見栄えを悪化させることなくミラーハウジング１１とカバー１２とによる分割構造を採用することが可能となる。しかも、ミラーハウジング１１とカバー１２との分割位置の溝や段差は、雨滴６を流下させるガイドとしても機能するので、括れ部１５まで到る雨滴６を減らすことが可能となる。
【００２６】
従って、上記形態例によれば、運手走行時に庇部１４の括れ部１５に負圧部８を形成して雨滴６を留め、ミラー本体１０の鏡面への雨滴６の付着を大幅に抑制することができるので、鏡面が雨滴６により見えづらくなって後方確認が難しくなるという事態を著しく改善することができ、乗員の後方視認性の大幅な向上を図ることができる。
【００２７】
また、見栄えを悪化させることなくミラーハウジング１１とカバー１２とによる分割構造を採用することができるので、庇部１４の外側面に括れ部１５を持つミラーボデー１３を無理のない金型で容易に製作することができ、しかも、ミラーハウジング１１とカバー１２との分割位置の溝や段差を雨滴６を流下させるガイドとして機能させることで括れ部１５まで到る雨滴６を減らし、ミラー本体１０の鏡面への雨滴６の付着をより一層抑制することができる。
【００２８】
更に、ミラーハウジング１１に対しカバー１２を嵌合して取り付け得るように構成したことにより、ミラーハウジング１１とカバー１２との組み付けを容易化することができ、ミラーハウジング１１とカバー１２との組み付け作業性の向上を図ることができる。
【００２９】
尚、本発明の車両用サイドミラー構造は、上述の形態例にのみ限定されるものではなく、トラック以外の車両に適用しても良いこと、また、アンダーミラーは必ずしも併用しなくて良いこと、その他、本発明の要旨を逸脱しない範囲内において種々変更を加え得ることは勿論である。
【符号の説明】
【００３０】
９  サイドミラー
１０  ミラー本体
１１  ミラーハウジング
１２  カバー
１３  ミラーボデー
１４  庇部
１５  括れ部
１７  最外形部
【図１】
0005784319.tif 000002
【図２】
0005784319.tif 000003
【図３】
0005784319.tif 000004
【図４】
0005784319.tif 000005
【図５】
0005784319.tif 000006
【図６】
0005784319.tif 000007